(57)【要約】本発明は、データを処理する方法を発表する。以下のように示す：第1コンピュータは、第1コンピュータの画像出力ポートを介して第1画像収集装置に第1のデータを送信する；第1画像収集装置は、第1情報および第2情報を含む第1データを第2コンピュータに送信し、第2データには、第3の情報および第4情報が含まれ、第3情報が第1情報と一致し、第4情報が第2情報と一致する場合、第2コンピュータは、第3データまたは第4データを第1方法で処理する；第3情報が第1情報と一致しない場合、または第4情報が第2情報と一致しない場合、第2コンピュータは、第3データまたは第4データを第2方法で処理する。本発明は、ハッカーが網羅的な方法でデータを取得することを効果的に低減することができる。
2021514503.tif 000002
【特許請求の範囲】
【請求項１】
第１コンピュータと第２コンピュータの間でデータを伝送するためのデータ処理方法であ
って、
前記第１コンピュータは前記第１コンピュータの画像出力ポートを介して第１画像収集装
置に第１データを送信し、前記第１画像収集装置は前記第１データを前記第２コンピュー
タに送信するか、又は前記第１データを処理した後第２データを生成し、前記第２データ
を前記第２コンピュータに送信し、
前記第２コンピュータが前記第１データ又は第２データを処理した後、前記第１コンピュ
ータは前記第１コンピュータの画像出力ポートを介して第１画像収集装置に第３データを
送信し、前記第１画像収集装置は前記第３データを前記第２コンピュータに送信するか、
又は前記第３データを処理した後第４データを生成し、前記第４データを前記第２コンピ
ュータに送信し、
前記第１画像収集装置は、前記第１コンピュータの画像出力ポートに接続するための画像
入力ポートを有し、
前記第１データには、第１情報と第２情報が含まれ、
前記第１コンピュータの画像出力ポートは、前記第１コンピュータのビデオカードの出力
ポートを含み、
前記第３データ又は第４データには、第３情報と第４情報が含まれ、第３情報と第１情報
が一致するとともに、第４情報と第２情報が一致すると、前記第２コンピュータは第１方
法で第３データ又は第４データを処理し、第３情報と第１情報が一致しないか、又は第４
情報と第２情報が一致しないと、前記第２コンピュータは第２方法で第３データ又は第４
データを処理する、ことを特徴とするデータ処理方法。
【請求項２】
前記第１コンピュータはＷｅｂサーバ又はアプリケーションサーバである、ことを特徴と
する請求項１に記載のデータ処理方法。
【請求項３】
前記第２コンピュータはデータベースサーバである、ことを特徴とする請求項１に記載の
データ処理方法。
【発明の詳細な説明】
【技術分野】
【０００１】
本発明は、インターネット/コンピュータ技術の分野に関し、特にデータを処理する方法
を指す。
【背景技術】
【０００２】
現在の社会では、多くの会社や機関は自社のサイトがある。顧客、ユーザーが自身の情報
を知るために情報を発表するために使用されるが、このようなサイトは大きな安全上の危
険が存在する可能性があり、ハッカーに攻撃されやすく、ハッカーに会社のサイトのデー
タベースにアクセスする機会を与え、会社のデータの漏洩を招く恐れがある。
【発明の概要】
【０００３】
ハッカーが網羅的にデータを取得することを回避することができるデータ処理方法を提供
することを目的とする。
【０００４】
第1コンピュータは、第1コンピュータの画像出力ポートを介して第1画像収集装置に第1の
データを送信する；第1画像収集装置は、第1の情報および第2の情報を含む第1のデータを
第2コンピュータに送信し、第2のデータには、第3の情報および第4の情報が含まれ、第3
情報が第1情報と一致し、第4情報が第2情報と一致する場合、第2コンピュータは、第3デ
ータまたは第4データを第1方法で処理する；第3情報が第1情報と一致しない場合、または
第4情報が第2情報と一致しない場合、第2コンピュータは、第3データまたは第4データを
第2方法で処理する。
【０００５】
メリット：本発明は、ハッカーが網羅的な方法でデータを取得することを効果的に低減す
ることができる。
【図面の簡単な説明】
【０００６】
以下、本発明を添付図および具体的な実施例に関連してさらに詳細に説明する：
【図１】本発明の第1コンピュータと第2コンピュータとの間でデータを送信する方法の一実施例のフローチャートである。
【図２】本発明のデータ送信装置の一実施例の構成図である。
【図３】本発明における画像の第1のサンプルである。
【図４】本発明における画像の第2のサンプルである。
【図５】本発明における画像の第3のサンプルである。
【０００７】
［符号の説明］
1、第1コンピュータ、2、第1画像収集装置、3、第2画像収集装置、4、第2コンピュータ、
5、第1ビデオカード、6、第2ビデオカード、7、第3ビデオカード、8、第4ビデオカード、
9、第1ディスプレイ、10、第2ディスプレイ
【発明を実施するための形態】
【０００８】
本発明の実施例または従来技術における技術的態様をより明確に説明するために、以下、
本発明の具体的な実施例を図面を参照して説明する。明らかに、以下の説明における図面
は、本発明のいくつかの実施例にすぎず、当業者にとっては、創造的な労力を払わずに、
これらの図面から他の図面を取得し、他の実施例を得ることもできる。
【０００９】
図面を簡潔にするために、各図には、本発明に関連する部分のみが概略的に示されており
、製品としての実際の構成を表すものではない。さらに、図面を簡潔に理解しやすくする
ために、いくつかの図には同じ構造または機能を有する構成要素があり、そのうちの1つ
のみが概略的に示されているか、またはそのうちの1つのみが示されている。本取扱説明
書では、“1つ”は“この1つのみ”を表すだけでなく、“1つ以上”の場合を表すことも
できる。
【００１０】
１、ウェブサイトを作る：
第1コンピュータ1にはサイトWが作成され、サイトWのユーザ資料はデータベースBに格納
される。ユーザ資料には、ユーザ名、パスワード、ユーザ個人情報がある；個人情報には
、名前，電話などがある。データベースBは、第2コンピュータ4にインストールされ、ウ
ェブサイトWのユーザ資料がデータベースBに格納されるステップは、後述する実施列で詳
細に説明され、技術者は、通常.NET、JAVAなどのプログラミング言語やプラットフォーム
を用いてウェブサイトWのウェブページを生成する。後続の実施例では、プログラム開発
者は、必要に応じて異なる開発ツールを選択することができる。
【００１１】
第1コンピュータはWebサーバ(Web Server)であり、第1コンピュータはアプリケーション
サーバ(Application Server)であってもよい。
【００１２】
アプリケーションサーバの定義は、以下のいずれかであってもよい：
1)アプリケーションサーバは、サーバ側アプリケーションの少なくともセットを実行する
コンピュータであり、サーバ側アプリケーションのセットは、他のコンピュータ上のクラ
イアントアプリケーションまたはモバイルデバイス上のクライアントアプリケーションと
対応するサーバ側/クライアント関係を形成することができる。
2)アプリケーションサーバは、Webサーバデータまたはコマンドを受信し、データをさら
に処理してデータベースサーバまたは他のコンピュータに送信することができる。
【００１３】
第2コンピュータは、データベースサーバ(Database Server)である。データベースサーバ
の主な用途は、第1コンピュータ(Webサーバまたはアプリケーションサーバまたは他のコ
ンピュータ)から送信されたデータを受信してメモリーすること。
【００１４】
２、設定：
1)第1ビデオカード5と第3ビデオカード7とは同一のタイプのビデオカードであり、第1ビ
デオカード5と第3ビデオカード7とは同じドライバを使用する。
初期動作状況では、第1ビデオカード5および第3ビデオカード7のいずれも信号を出力せず
、特に説明がなければ、第1ビデオカードは、第1コンピュータのデスクトップコンテンツ
を出力しない。
第3ビデオカードは、第2コンピュータのデスクトップコンテンツを出力しない。
2)第1コンピュータおよび第2コンピュータのシステムディレクトリの下、またはユーザに
よって指定されたディレクトリの下に、1つずつ動的リンクライブラリRec.dllが追加され
、動的リンクライブラリは、Recpic()関数を含み、関数Recpic()が有する可能性のある機
能は、実施例で詳細に説明される。
3)実施例では、第1コンピュータには、ソフトウェアM、プログラムP(プログラムPと略す)
、ソフトウェアF、ソフトウェアK、および他のプログラムがあり、第2コンピュータには
、ソフトウェアJがあり、これらのプログラムの機能は、実施例で詳細に説明されており
、開発者がこれらのプログラムを作成するのに一般的なプログラミング言語(ツール)また
はプラットフォームは複数あり、開発者は、必要に応じて異なる開発ツールを選択するこ
とができる。
4)第1コンピュータは、第1ビデオカードのビデオ/画像出力ポートを介して画像を送信す
る(または第2コンピュータは、第3ビデオカードのビデオ/画像出力ポートを介して画像を
送信する)、画像中の認識されたコンテンツはアルファベット、数字、文字、記号を含み
、コンテンツの画像中の高さは1.5 mm~40 mmであり、画像中の背景色は白色であり、画像
中のコンテンツの色は黒色である。内容は画像中のライン距離が1 mm~15 mmである。
【００１５】
コンピュータはビデオカードのビデオ/画像出力ポートから送信された画像中のデータが
認識されると、まず空白行を除去する必要がある。実施例の画像で認識されたデータには
、空白行は含まれなくなる。
【００１６】
5)第1または第3ビデオカードは、毎秒24フレーム(または60フレーム)の画像を転送する。
第1ビデオカード出力画像の解像度は、第1画像収集装置が取得した画像の解像度と一致す
る；第3ビデオカード出力画像の解像度は、第2画像収集装置が取得した画像の解像度と一
致する。
【００１７】
6)画像内のデータフォーマットは、以下の表を参照してください：
【００１８】
表一
2021514503.tif 000003
【００１９】
上述した表1に示すように、画像中のデータフォーマットAであり、画面上の表示形態は、
図3を参照してください。 
【００２０】
表二
2021514503.tif 000004
【００２１】
上記表2に示すように、画像中のデータフォーマットBであり、画面上の表示形態は、図4
を参照してください。
【００２２】
表三
2021514503.tif 000005
【００２３】
上記表3に示すように、画像中のデータフォーマットCであり、画面上の表示形態は、図5
を参照してください。
【００２４】
本発明の実施例では、
設定：第1コンピューターは、一連のサーバー側アプリケーションを実行する。サーバー
側アプリケーションで使用されるビジネスデータは、データベースBに格納される。サー
バ側アプリケーションは、ユーザの携帯電話でアプリケーションＵのログイン要求を受け
取ることができる。サーバアプリケーションプログラムとユーザの携帯電話のプログラム
Ｕは、相互にデータを交換することができる。
【００２５】
1、ユーザFは、サイトWのユーザログインページを開き、ユーザ名(Zhang)、パスワード(H
ello)を入力し、“ログイン”ボタンをクリックする。あるいは、ユーザFは、携帯電話内
のアプリケーションUを開き、ユーザ名(Zhang)、パスワード(Hello)を入力し、“ログイ
ン”ボタンをクリックする。
【００２６】
2、第1コンピュータは、ウェブサイトWのアプリケーションの一部であり、サーバ側のア
プリケーションの一部であってもよいプログラムPを実行する。プログラムPは、今回生成
された番号が8002であり、シーケンス番号が順次増加したと仮定し、プログラムPは、800
2、“login”、ユーザ名、パスワードを1フレーム画像Tに格納し、1フレーム画像Tの画面
上の表示形態を図3(1フレーム画像Tにおけるデータフォーマットは上記表1参照)、画像T
は8002.jpgに保存する。8002.jpgは、第1コンピュータのD：\picディレクトリに保存され
ている。
【００２７】
3、第1コンピュータは、画像ファイル8002.jpgを、第1ビデオカード(第1コンピュータの
構成要素と考えられる)のVGAポート送信に適した信号に変換し、その後、信号が1回のみ
送信される第1画像収集装置に信号を送信する；プログラムPは画像ファイル8002.jpgを削
除する。
【００２８】
5、プログラムPは、D：\recfileディレクトリを1秒おきにスキャンする。ディレクトリの
下に番号で命名されたテキストファイルがあるかどうかをチェックする。本実施例におい
て、番号で命名されたテキストファイルとは、8002.txtである。
【００２９】
6、第1画像収集装置は、第1コンピュータの第1ビデオカードのビデオ・画像出力ポートか
ら画像Tを受信する；第1画像収集装置は、画像Tを0001.JPGに保存し、第1画像収集装置の
メモリに格納した後、0001.JPGを第2コンピュータに送信する。あるいは、第1画像収集装
置は、画像Tを第2コンピュータに送信し、第2コンピュータは、画像Tを0001.jpgに保存す
る；この手順では、画像ファイルの命名規則は0001から順に増加する。
【００３０】
7、第2コンピュータは、0001.jpgを第2コンピュータのD：\picディレクトリに保存する；
第2コンピュータは起動後，1つのソフトウェアJを実行し、ソフトウェアJはD\recpic\デ
ィレクトリの下に新しいファイルの有無を自動的に監視し、ソフトウェアJがD\recpic\デ
ィレクトリの下に新しいファイル0001.JPGがあることを発見すると、ソフトウェアJは000
1.JPG上のデータを認識して取得する。
【００３１】
8、ソフトウェアJが判断したデータの2行目が“login”である場合、第2コンピュータは
、ソフトウェアJが読み取ったデータの3行目をユーザ名とし、4行目をパスワードとして
、ソフトウェアJがデータベースBに記録されてチェックされたユーザ名およびパスワード
を読み出すことを行う。
A)ユーザ名とパスワードが一致していれば、ユーザの個人情報に戻り、個人情報は名前、
電話である。ソフトウェアJは、データ中の1行目のデータ、ユーザログイン成功の識別情
報をフレーム画像Yに配置し、画面上のフレーム画像Yの表示形態を図4に参照して下さい(
1フレーム画像Yのデータフォーマットは上述した表2を参照)；第2コンピュータは、ユー
ザ名と1組の対応関係を形成する番号を第2コンピュータに記憶する。すなわち、このとき
、このユーザ名には対応する番号がある。
B)ユーザ名とパスワードが一致しない場合は、“ユーザ名とパスワードは一致しない”と
戻る。ソフトウェアJは、データ中の1行目のデータ、ユーザログインが成功しなかった識
別情報、および“ユーザ名とパスワードが一致しない”を1フレームの画像Yに配置する。
画面への1フレーム画像Yの表示形態は、図5(1フレーム画像Yにおけるデータフォーマット
は上述した表3を参照)を参照してください。
【００３２】
9、第2コンピュータは、この画像Yを第3ビデオカード(第3ビデオカードは第2コンピュー
タの構成要素とみなされる)のVGAポートで送信するのに適した画像信号に変換した後、1
回のみ送信される第2画像収集装置に画像信号を送信する。
【００３３】
10. 第2画像収集装置は、第2コンピュータにおける第3ビデオカードの画像/ビデオ出力ポ
ートから画像Yを受信すると、画像YをR 0001.JPGに保存する。そして、第2画像収集装置
は、R0001.JPGを第1コンピュータに送信する。あるいは、第2画像収集装置は、画像Yを第
1コンピュータに送信し、第1コンピュータは、画像YをR 0001.JPGに保存する。このステ
ップでは、画像ファイルのファイル名命名規則は“R”+ファイル番号であり、ファイル番
号は0001から順に増加する。
【００３４】
11、第1コンピュータは、R 0001.JPGを第1コンピュータのD：\recpic\ディレクトリに格
納し、第1コンピュータは、起動後、ソフトウェアMを実行し、ソフトウェアMは、D\recpi
c\ディレクトリの新しいファイルの有無を自動的に監視し、ソフトウェアMがD\recpic\デ
ィレクトリの下に新しいファイルR 0001.JPGがあることを発見すると、ソフトウェアMは
、R 0001.JPG上のデータを認識して取得する。データには、ユーザログインに成功した情
報またはログインに成功しなかった情報“ユーザ名とパスワードが一致しない”が含まれ
ており、データの1行目の数字が8002である場合、ソフトウェアMは、データを8002.txt、
8002.txtをD：\recfileディレクトリに保存する。ソフトウェアMは、第1コンピュータ内
のR 0001.JPGを削除する。
【００３５】
プログラムPはD：\recfileディレクトリで既存の8002.txtを発行し、第1の計算機は以下
の操作を行う：
【００３６】
データ中の1行目の数字が8002である場合、第1コンピュータはまた、以下の動作を行う：
【００３７】
1)8002.txtの2行目のアルファベットが“Y”である場合、ユーザFコンピュータのディス
プレイまたは携帯電話のアプリケーションは、“ユーザログイン成功”を表示する。
2)8002.txtの2行目のアルファベットが“N”である場合、第1コンピュータは、“ユーザ
名がすでに存在するか、または2回入力されたパスワードが一致しない”をユーザFのコン
ピュータまたは携帯電話に送信し、ユーザFのコンピュータのディスプレイまたは携帯電
話のアプリケーションに“ユーザ名とパスワードが一致しない”と表示する。
3)プログラムPは、第1コンピュータ内の 8002.txtを削除する。
【００３８】
12、ユーザは、自分のコンピュータの上で“ユーザ情報を見る”ボタンをクリックし、第
1コンピュータは、番号、“照会”、ユーザ名などの情報を画像Qの1行目、2行目、3行目
に置き、画像Qを第2コンピュータに送信する。
【００３９】
13、第2コンピュータは、画像Qのデータを認識し、2行目が“照会”である場合、第2コン
ピュータに記憶されているユーザ名およびその対応する番号を読み出す。
1)画像Qに記憶されたユーザ名が第2コンピュータで見つかり、ユーザ名に対応する番号と
画像Qの番号とが一致する場合、このユーザ名に関連するクライアント資料および番号を
画像wに配置し、第2コンピュータは、画像wを第1コンピュータに送信する。
2)そうでなければ、“あなたのアクセスが仕様に適合していない”を画像wに置き、第2コ
ンピュータは、画像wを第1コンピュータに送信する。
【００４０】
14、第1コンピュータは、画像w内の情報をユーザのコンピュータに送信する。
本発明の別の実施例では、ハードウェアには、第1画像収集装置が、第2コンピュータにイ
ンストールされた画像取得カードであることがさらに要求される。
第2画像収集装置は、第1コンピュータにインストールされた画像取得カードである。
1、ユーザFは、サイトWのユーザログインページを開き、ユーザ名、パスワードを入力し
、“ログイン”ボタンをクリックする。
2、第1コンピュータは、プログラムPを実行し、番号を生成し、番号の範囲は5000から655
35である。生成された番号が65535より大きい場合には、番号は5000に等しく、順次番号
が増加する。今回生成された番号を8002、またはプログラムPが実行された後、ユーザFが
ウェブページを開いて生成したセッション番号を取得するものとし、このセッション番号
(以下、セッション番号と略す)を用いてもよい。プログラムPは、8002、“login”、ユー
ザ名“zhang”、およびパスワード“hello”をフレーム画像Xに配置し、画面上のフレー
ム画像Xの表示形態は図3を参照して下さい(フレーム画像X内のデータフォーマットは表1
を参照)。
4、第1コンピュータは、画像Xを第1ビデオカード(第1ビデオカードは第1コンピュータの
構成要素とみなされる)のVGAポートで送信するのに適した信号に変換し、その後、信号を
1回のみ送信する第1画像収集装置に信号を送信する。
5、プログラムPは、データを受信するためのsocketサーバ側プログラム、socket受信側プ
ログラムが使用するソケット通信ポート番号は8002であるsocketサーバ側プログラムを実
行する。
6、第1画像収集装置は、第1コンピュータの第1ビデオカードのビデオ・画像出力ポートか
ら画像Xを取得(受信)する。
第1画像収集装置のドライバは、第2コンピュータにおける動的リンクライブラリRec.dll
内の関数Recpic()を呼び出し、第1画像収集装置のドライバは、画像Xを関数Recpic()に送
信する。
7、第2コンピュータ内のRec.dll内の関数Recpic()は、画像X内のデータを認識する画像認
識プログラムを実行し、第2コンピュータは、以下の動作を行う：
第2コンピュータ内のRec.dllの関数Recpic()がデータの2行目の“login”を判断した場合
、第2コンピュータ内のRec.dllの関数Recpic()が読み出したデータの3行目をユーザ名と
し、4行目をパスワードとし、第2コンピュータ内のRec.dllの関数Recpic()がデータベー
スBのレコードを読み取り、ユーザ名およびパスワードをチェックする：
A)ユーザ名とパスワードが一致している場合は、ユーザのユーザログインに成功した情報
に戻る。第2コンピュータにおけるRec.dll中の関数Recpic()は、番号、ユーザログインに
成功した識別子を1フレーム画像Sに置きます。画像Sにおいて、1行目は番号(またはセッ
ション番号)であり、2行目は“Y”である。第2コンピュータは、ユーザ名と1組の対応関
係を形成するシーケンス番号(またはセッション番号)を第2コンピュータに記憶する。言
い換えれば、このとき、このユーザ名は、対応するシーケンス番号(またはセッション番
号)を有する。
B)ユーザ名とパスワードが一致しない場合、“ユーザ名とパスワードが一致しない”と戻
り、第2コンピュータ内のRec.dllの関数Recpic()は、番号、ユーザログインが成功しなか
った識別番号、および“ユーザ名とパスワードが一致しない”を1フレーム画像Sに置いた
画面上の表示形態は図5を参照して下さい(1フレーム画像Sのデータフォーマットは上記表
3を参照)。
【００４１】
10、第2コンピュータ(第3ビデオカードは、第2コンピュータの構成要素と考えられる)は
、この画像Sを第3ビデオカードのVGAポート送信に適した信号に変換し、その後、第2画像
収集装置に信号を送信することにより、信号は1回のみ送信される。
【００４２】
11、第2画像収集装置は、第2コンピュータの第3ビデオカードのビデオ/画像出力ポートか
ら画像Sを取得(受信)し、第2画像収集装置のドライバは、第1コンピュータのRec.dllの関
数Recpic()を呼び出し、第1コンピュータのRec.dllの関数Recpic()が画像認識プログラム
を実行して画像S内のデータを識別して取得する。
【００４３】
データ中の1行目の数字が8002である場合、第1の計算機のRec.dllの関数Recpic()は、soc
ket送信元プログラム(クライアントプログラム)の一部を実行し、socket送信元プログラ
ムは、画像中で認識されたデータを送信し、socket送信元プログラムが使用するソケット
通信ポート番号は8002である。
【００４４】
12、第1コンピュータのソフトウェアPは、データを受信し、
第1コンピュータはまた、以下の動作を実行する：
1)データ中の2行目が“Y”である場合、第1コンピュータは、ユーザFのコンピュータにユ
ーザのログイン成功の情報を送信し、ユーザFのコンピュータのディスプレイに“ユーザ
ログイン成功”を表示する。
2)データ中の2行目が“N”である場合、第1コンピュータは、“ユーザ名がすでに存在す
るか、または2回入力されたパスワードが一致しない”をユーザFのコンピュータに送信し
、ユーザFのコンピュータのディスプレイに“ユーザ名とパスワードが一致しない”と表
示する。
【００４５】
13、ユーザFは、自分のコンピュータ上で“ユーザ情報を見る”ボタンをクリックし、第1
コンピュータは、シーケンス番号(またはセッション番号)、“照会”、ユーザ名などの情
報を画像Qの第1の行、第2の行、第3の行に配置し、画像Qを第2コンピュータに送信する。
【００４６】
14、第2コンピュータは、画像Qのデータを識別し、第2の行が“照会”である場合、次い
で、第2コンピュータに格納されたユーザ名およびそれに対応するシーケンス番号(または
セッション番号)を読み出す。
1)画像Qに格納されたユーザ名が第2コンピュータで見つかり、ユーザ名に対応するシーケ
ンス番号(またはセッション番号)が画像Qのシーケンス番号(またはセッション番号)と一
致する場合、このユーザ名に関連するクライアント資料およびシーケンス番号(またはセ
ッション番号)が画像wに配置され、第2コンピュータは、画像wを第1コンピュータに送信
する。
2)そうでなければ、“あなたのアクセスが仕様に適合していない”を画像wに置き、第2コ
ンピュータは、画像wを第1コンピュータに送信する。
【００４７】
15、第1コンピュータは、画像w内の情報をユーザのコンピュータに送信する。
なお、上記のいずれかの実施例では：
ビデオカードの出力ポートは、DVI、HDMI等の画像出力ポートであってもよく、その対応
する画像収集装置の入力ポートも対応する画像入力ポートを用いており、第1コンピュー
タは、関連する画像/画像ファイルを第1ビデオカードのDVIやHDMI等の出力ポートが伝送
する信号に変換して伝送する。第2コンピュータは、関連する画像・画像ファイルを、第3
ビデオカードのDVIやHDMI等の出力ポート伝送に適した信号に変換して伝送する。
第1コンピュータからデータを取得し、画像収集装置に画像信号を送信することができる
任意の装置は、ビデオカードの代替製品とみなされるべきである。ユーザは、上述した実
施例の技術を用いて、複数の操作を実行することができる。
【００４８】
本発明の別の実施例では、図1に示すように、第１コンピュータと第２コンピュータの間
でデータを伝送するためのデータ処理方法であって、以下を含む：
【００４９】
ステップS10：第１コンピュータは第１コンピュータの画像出力ポートを介して第１画像
収集装置に第１データを送信し、第１画像収集装置は前記第１データを第２コンピュータ
に送信するか、又は第１データを処理した後第２データを生成し、第２データを前記第２
コンピュータに送信し、
第１画像収集装置は、第１コンピュータの画像出力ポートに接続するための画像入力ポー
トを有し、
第１データには、第１情報と第２情報が含まれ、
第１コンピュータの画像出力ポートは、第１コンピュータのビデオカードの出力ポートを
含み、
ステップS20：第２コンピュータが前記第１データ又は第２データを処理した後、前記第
１コンピュータは前記第１コンピュータの画像出力ポートを介して第１画像収集装置に第
３データを送信し、前記第１画像収集装置は前記第３データを前記第２コンピュータに送
信するか、又は前記第３データを処理した後第４データを生成し、第４データを第２コン
ピュータに送信し
第３データ又は第４データには、第３情報と第４情報が含まれ、第３情報と第１情報が一
致するとともに、第４情報と第２情報が一致すると、第２コンピュータは第１方法で第３
データ又は第４データを処理し、第３情報と第１情報が一致しないか、又は第４情報と第
２情報が一致しないと、第２コンピュータは第２方法で第３データ又は第４データを処理
する。
【００５０】
上述した実施例は、必要に応じて自由に組み合わせられてもよいことに注意してください
。以上は、本発明の好ましい実施例にすぎず、当技術分野の一般的な技術者にとっては、
本発明の原理から逸脱することなく、いくつかの改善および仕上げを行うこともでき、こ
れらの改善および仕上げは、本発明の保護範囲ともみなされるべきである。
【図１】
2021514503.tif 000006
【図２】
2021514503.tif 000007
【図３】
2021514503.tif 000008
【図４】
2021514503.tif 000009
【図５】
2021514503.tif 000010
【国際調査報告】
2021514503.tif 000011
2021514503.tif 000012
2021514503.tif 000013
2021514503.tif 000014